【誤訳訂正書】
【提出日】平成24年6月8日(2012.6.8)
【誤訳訂正１】
【訂正対象書類名】特許請求の範囲
【訂正対象項目名】全文
【訂正方法】変更
【訂正の内容】
【特許請求の範囲】
【請求項１】
ドリフト無線ネットワークコントローラにおける能力情報の報知方法であって、
ドリフト無線ネットワークコントローラは、それに配属されているセルが増強型専用伝送チャンネルの2msの伝送時間間隔をサポートしないことを検出すると、シグナリングによって、前記セルが増強型専用伝送チャンネルの2msの伝送時間間隔をサポートしない情報をサービス無線ネットワークコントローラに報告し、前記サービス無線ネットワークコントローラは、この情報を取得し、ユーザデバイスに対して増強型専用伝送チャンネルの2msの伝送時間間隔のアプリケーションを終了させること、或いは、増強型専用伝送チャンネルの2msの伝送時間間隔をサポートしないセルのリンクを削除することを決定することに参加することを特徴とするドリフト無線ネットワークコントローラにおける能力情報の報知方法。
【請求項２】
前記シグナリングは、エラー指示メッセージ、無線リンク設立失敗メッセージ、無線リンク増設失敗メッセージ、無線リンク再配置失敗メッセージ,以上のメッセージのいずれか一つ或いは組合であることを特徴とする請求項１に記載の方法。
【請求項３】
前記ドリフト無線ネットワークコントローラは、係るセルが増強型専用伝送チャンネルの2msの伝送時間間隔をサポートしないことを検出すると、前記ドリフト無線ネットワークコントローラは、前記セルが増強型専用伝送チャンネルの2msの伝送時間間隔をサポートしない情報が付加されたエラー指示メッセージを、前記サービス無線ネットワークコントローラに送信することを特徴とする請求項２に記載の方法。
【請求項４】
前記サービス無線ネットワークコントローラは、無線リンク設立要求をドリフト無線ネットワークコントローラに送信し、前記ドリフト無線ネットワークコントローラは前記メッセージを受信した後に、前記サービス無線ネットワークコントローラは設立の必要な無線リンクに対して増強型専用伝送チャンネルの2msの伝送時間間隔を配置し、且つ、係るセルは当該増強型専用伝送チャンネルの2msの伝送時間間隔をサポートしないことを判断すると、前記ドリフト無線ネットワークコントローラは、前記セルが増強型専用伝送チャンネルの2msの伝送時間間隔をサポートしない能力情報が付加された無線リンク設立失敗メッセージを、前記サービス無線ネットワークコントローラに送信することを特徴とする請求項２に記載の方法。
【請求項５】
前記サービス無線ネットワークコントローラは、無線リンク増設要求をドリフト無線ネットワークコントローラに送信し、前記ドリフト無線ネットワークコントローラは前記メッセージを受信した後に、前記サービス無線ネットワークコントローラは増設の必要な無線リンクに対して増強型専用伝送チャンネルの2msの伝送時間間隔を配置し、且つ、係るセルは当該増強型専用伝送チャンネルの2msの伝送時間間隔をサポートしないことを判断すると、前記ドリフト無線ネットワークコントローラは、前記セルが増強型専用伝送チャンネルの2msの伝送時間間隔をサポートしない能力情報が付加された無線リンク増設失敗メッセージを、前記サービス無線ネットワークコントローラに送信することを特徴とする請求項２に記載の方法。
【請求項６】
前記サービス無線ネットワークコントローラは、無線リンク再配置準備或いは無線リンク再配置要求をドリフト無線ネットワークコントローラに送信し、前記ドリフト無線ネットワークコントローラは前記メッセージを受信した後に、前記サービス無線ネットワークコントローラは再配置準備或いは再配置の必要な無線リンクに対して増強型専用伝送チャンネルの2msの伝送時間間隔を配置し、且つ、係るセルは当該増強型専用伝送チャンネルの2msの伝送時間間隔をサポートしないことを判断すると、前記ドリフト無線ネットワークコントローラは、前記セルが増強型専用伝送チャンネルの2msの伝送時間間隔をサポートしない能力情報が付加された無線リンク再配置失敗メッセージを、前記サービス無線ネットワークコントローラに送信することを特徴とする請求項２に記載の方法。
【請求項７】
前記セルが増強型専用伝送チャンネルの2msの伝送時間間隔をサポートしない情報の表現方法は、前記シグナリングメッセージの現在のシグナルセルの「原因」の値において、係るセルの増強型専用伝送チャンネルの2msの伝送時間間隔をサポートしない能力情報を増加することであることを特徴とする請求項１に記載の方法。
【請求項８】
前記増強型専用伝送チャンネルの2msの伝送時間間隔をサポートしないセルの数は一つ或いは複数であり、前記シグナリングにおいて、一つ或いは複数のセルが増強型専用伝送チャンネルの2msの伝送時間間隔をサポートしない情報が付加されたことを特徴とする請求項１に記載の方法。
【請求項９】
前記セルとは、ユーザデバイス及び前記サービス無線ネットワークコントローラとシグナリングとデータ伝送の必要があり、且つ、前記ドリフト無線ネットワークコントローラの配属におけるセルにおいて、当該ユーザデバイスのために無線リンクを設立しよう或いは既に設立したセルであることを特徴とする請求項１〜８に記載の方法。
【誤訳訂正２】
【訂正対象書類名】明細書
【訂正対象項目名】全文
【訂正方法】変更
【訂正の内容】
【発明の詳細な説明】
【発明の名称】ドリフト無線ネットワークコントローラにおけるセルの伝送時間間隔をサポートしないことを報知する方法
【技術分野】
【０００１】
本発明は、無線通信システムに関し、特に、ドリフト無線ネットワークコントローラにおけるセルの伝送時間間隔をサポートしないことを報知する方法に関する。
【背景技術】
【０００２】
移動通信ネットワークにおいて、コア網は、無線アクセス網における無線ネットワークコントローラに接続し、無線ネットワークコントローラは、幾つのノードＢを制御する。無線アクセス網は、一つ或いは複数の無線ネットワークサブシステムを含む。それぞれの無線ネットワークサブシステムは、アクセス網内の一つのサブ網であり、一つの無線ネットワークコントローラと、一つ或いは複数のノードＢとを含む。無線ネットワークコントローラは、アクセス網の無線リソースを制御することを行うネットワーク素子であり、ノードＢは、エアインタフェースの物理層の処理を行うことを主な機能とし、基本な無線リソース管理操作も実行する。ユーザデバイスと複数の無線ネットワークコントローラと通信関係が設立されると、異なる無線ネットワークコントローラの間にはＩｕｒインタフェースによって接続され、ここで、当該ユーザデバイスとコア網との連絡を行う無線ネットワークコントローラは、サービス無線ネットワークコントローラと言われ、当該ユーザデバイスに対してシグナリングとデータ伝送を行うが、コア網との連絡を行わない無線ネットワークコントローラは、ドリフト無線ネットワークコントローラといわれ、さらに、ドリフト無線ネットワークコントローラは、それに配属されているノードＢにおけるセルのサポート能力をサービス無線ネットワークコントローラに伝送することを行うことになる。
【０００３】
従来のシステム技術最適化において、ユーザ体験品質及びシステムのスループットを向上させるため、上行には高速パケットアクセス技術が導入され、上行高速パケットアクセス技術について、増強型専用伝送チャンネル（Ｅｎｈａｎｃｅｄ−Ｄｅｄｉｃａｔｅｄ  Ｃｈａｎｎｅｌ、Ｅ−ＤＣＨ）が利用され、このような伝送チャンネルには、２ｍｓと１０ｍｓの二つの伝送時間間隔を利用することができる。ノードＢに対して、１０ｍｓの伝送時間間隔のみをサポートすることができる。従って、Ｅ−ＤＣＨ  ２ｍｓの伝送時間間隔をサポートするユーザデバイスにとって、Ｅ−ＤＣＨ  ２ｍｓの伝送時間間隔をサポートするノードＢの連携が得られないと、２ｍｓの伝送時間間隔の機能を正常に利用すること、また、より高いパケットレート（rate）を得ることができない。無線ネットワークコントローラは、Ｅ−ＤＣＨ  ２ｍｓの伝送時間間隔を利用するか否かを決定するには、正確な決定を行うために、ノードＢがＥ−ＤＣＨ  ２ｍｓの伝送時間間隔をサポートできるか否かを区別する必要がある。
【発明の概要】
【発明が解決しようとする課題】
【０００４】
本発明が解決しようとする技術課題は、ドリフト無線ネットワークコントローラにおけるセルの伝送時間間隔をサポートしない報知方法を提供することであり、その目的は、サービス無線ネットワークコントローラは、この情報を取得し、ユーザデバイスに対して増強化専用伝送チャンネルの伝送時間間隔の利用を終了させること、或いは、増強化専用伝送チャンネルの伝送時間間隔をサポートしないセルのリンクを削除することを決定することに参加し、ユーザデバイスの正常な通信を確保する。
【課題を解決するための手段】
【０００５】
前記の技術課題を解決するために、本発明は、ドリフト無線ネットワークコントローラにおける伝送時間間隔をサポートしない能力の報知方法であって、ドリフト無線ネットワークコントローラは、それに配属されているセルが増強型専用伝送チャンネルの伝送時間間隔をサポートしないことを検出すると、シグナリングによって、前記セルが増強型専用伝送チャンネルの伝送時間間隔をサポートしない情報をサービス無線ネットワークコントローラに報告する。
【０００６】
本発明に係る方法において、前記シグナリングは、エラー指示メッセージ、無線リンク設立失敗メッセージ、無線リンク増設失敗メッセージ、無線リンク再配置失敗メッセージのメッセージなかのいずれか一つ或いは組合である。
【０００７】
本発明に係る方法において、前記ドリフト無線ネットワークコントローラは、係るセルが増強型専用伝送チャンネルの伝送時間間隔をサポートしないことを検出すると、前記ドリフト無線ネットワークコントローラは、前記セルが増強型専用伝送チャンネルの伝送時間間隔をサポートしない情報が付加されたエラー指示メッセージを、前記サービス無線ネットワークコントローラに送信する。
【０００８】
本発明に係る方法において、前記サービス無線ネットワークコントローラは、無線リンク設立要求をドリフト無線ネットワークコントローラに送信し、前記ドリフト無線ネットワークコントローラは前記メッセージを受信した後に、前記サービス無線ネットワークコントローラは設立の必要な無線リンクに対して増強型専用伝送チャンネルの伝送時間間隔を配置し、且つ、係るセルは当該増強型専用伝送チャンネルの伝送時間間隔をサポートしないことを判断すると、前記ドリフト無線ネットワークコントローラは、前記セルが増強型専用伝送チャンネルの伝送時間間隔をサポートしない能力情報が付加された無線リンク設立失敗メッセージを、前記サービス無線ネットワークコントローラに送信する。
【０００９】
本発明に係る方法において、前記サービス無線ネットワークコントローラは、無線リンク増設要求をドリフト無線ネットワークコントローラに送信し、前記ドリフト無線ネットワークコントローラは前記メッセージを受信した後に、前記サービス無線ネットワークコントローラは増設の必要な無線リンクに対して増強型専用伝送チャンネルの伝送時間間隔を配置し、且つ、係るセルは当該増強型専用伝送チャンネルの伝送時間間隔をサポートしないことを判断すると、前記ドリフト無線ネットワークコントローラは、前記セルが増強型専用伝送チャンネルの伝送時間間隔をサポートしない能力情報が付加された無線リンク増設失敗メッセージを、前記サービス無線ネットワークコントローラに送信する。
【００１０】
本発明に係る方法において、前記サービス無線ネットワークコントローラは、無線リンク再配置準備或いは無線リンク再配置要求をドリフト無線ネットワークコントローラに送信し、前記ドリフト無線ネットワークコントローラは前記メッセージを受信した後に、前記サービス無線ネットワークコントローラは再配置準備或いは再配置の必要な無線リンクに対して増強型専用伝送チャンネルの伝送時間間隔を配置し、且つ、係るセルは当該増強型専用伝送チャンネルの伝送時間間隔をサポートしないことを判断すると、前記ドリフト無線ネットワークコントローラは、前記セルが増強型専用伝送チャンネルの伝送時間間隔をサポートしない能力情報が付加された無線リンク再配置失敗メッセージを、前記サービス無線ネットワークコントローラに送信する。
【００１１】
本発明に係る方法において、前記セルが増強型専用伝送チャンネルの伝送時間間隔をサポートしない情報の表現方法は、前記シグナリングメッセージの現在のシグナルセル（Interface Element）の「原因」の値（value）において、係るセルが増強型専用伝送チャンネルの伝送時間間隔をサポートしない能力情報を増加することである。
【００１２】
さらに、前記セルがサポートしない増強型専用伝送チャンネルの伝送時間間隔は、２ｍｓの伝送時間間隔である。
【００１３】
本発明に係る方法において、前記増強型専用伝送チャンネルの伝送時間間隔をサポートしないセルの数は一つ或いは複数であり、前記シグナリングにおいて、一つ或いは複数のセルが増強型専用伝送チャンネルの伝送時間間隔をサポートしない情報が付加された。
【００１４】
本発明に係る方法において、前記セルとは、ユーザデバイスや前記サービス無線ネットワークコントローラとシグナリングやデータ伝送の必要があり、且つ、前記ドリフト無線ネットワークコントローラの配属におけるセルにおいて、当該ユーザデバイスのために無線リンクを設立しよう或いは既に設立したセルである。
【００１５】
本発明に係る方法では、ドリフト無線ネットワークコントローラは、それに配属されているセルがＥ−ＤＣＨ  ２ｍｓの伝送時間間隔をサポートしない情報をサービス無線ネットワークコントローラに報告することにより、サービス無線ネットワークコントローラは、この情報を取得し、ユーザデバイスに対してＥ−ＤＣＨ  ２ｍｓの伝送時間間隔のアプリケーションを終了させること、或いは、Ｅ−ＤＣＨ  ２ｍｓの伝送時間間隔をサポートしないセルのリンクを削除することを決定することに参加し、ユーザデバイスの正常な通信を確保する。
【図面の簡単な説明】
【００１６】
【図１】図１は本発明の具体的な実施例１の報知ステップを示す図である。
【図２】図２は本発明の具体的な実施例２の報知ステップを示す図である。
【発明を実施するための形態】
【００１７】
以下は、図面を合わせて、本発明に係る技術案の実施についてさらに詳しく説明する。
【００１８】
図１に示すように、実施例１は、ドリフト無線ネットワークコントローラはエラー指示メッセージによって、それに配属されているセルがＥ−ＤＣＨ  ２ｍｓの伝送時間間隔をサポートしないことを報知する方法を提供する。
【００１９】
ステップ１０１：ドリフト無線ネットワークコントローラは係るセルがＥ−ＤＣＨ  ２ｍｓの伝送時間間隔をサポートしないことを検出すると、ドリフト無線ネットワークコントローラは、Ｅ−ＤＣＨの伝送時間間隔をサポートしない情報が付加されたエラー指示メッセージを、サービス無線ネットワークコントローラに送信する。ここで、前記セルとは、ユーザデバイスや前記サービス無線ネットワークコントローラとシグナリングやデータ伝送の必要があり、且つ、前記ドリフト無線ネットワークコントローラの配属におけるセルにおいて、当該ユーザデバイスのために無線リンクを設立しよう或いは既に設立したセルであり、当該セルは一つ或いは複数あってもよい。前記シグナリングメッセージにおいて、一つ或いは複数のセルが増強型専用伝送チャンネルの伝送時間間隔をサポートしない情報が付加されてもよい。
【００２０】
図２に示すように、実施例２は、ドリフト無線ネットワークコントローラは無線リンク設立、増設或いは再配置失敗メッセージによって、それに配属されているセルがＥ−ＤＣＨ  ２ｍｓの伝送時間間隔をサポートしないことを報知する方法を提供する。
【００２１】
ステップ２０１：サービス無線ネットワークコントローラは、無線リンク設立要求或いは無線リンク増設要求或いは無線リンク再配置または無線リンク再配置準備メッセージを、ドリフト無線ネットワークコントローラに送信し、
ステップ２０２：ドリフト無線ネットワークコントローラは前記メッセージを受信した後に、サービス無線ネットワークコントローラは設立或いは増設或いは再配置の必要な無線リンクに対して、Ｅ−ＤＣＨ  ２ｍｓの伝送時間間隔を配置し、且つ、係るセルは当該Ｅ−ＤＣＨ  ２ｍｓの伝送時間間隔をサポートしないことを判断すると、ドリフト無線ネットワークコントローラは、Ｅ−ＤＣＨの伝送時間間隔をサポートしない能力情報が付加された無線リンク設立失敗或いは無線リンク増設失敗或いは無線リンク再配置失敗メッセージを、サービス無線ネットワークコントローラに送信する。
【００２２】
前記実施例において、増強型専用伝送チャンネルの伝送時間間隔をサポートしない情報がシグナリングにおいての表現方法は、前記シグナリングメッセージの現在のシグナルセルの「原因」の値において、増強型専用伝送チャンネルの伝送時間間隔をサポートしない能力情報を増加することであり、さらに、前記シグナリングメッセージの現在のシグナルセルの「原因」の値において、増強型専用伝送チャンネルの２ｍｓの伝送時間間隔をサポートしない能力情報を増加することである。
【００２３】
前記実施例における前記シグナリングは、前記メッセージは、ドリフト無線ネットワークコントローラがトリガーしたエラー指示メッセージ、サービス無線ネットワークコントローラが無線リンク設立要求を発してトリガーした無線リンク設立失敗メッセージ、サービス無線ネットワークコントローラが無線リンク増設要求を発してトリガーした無線リンク増設失敗メッセージ、サービス無線ネットワークコントローラが無線リンク再配置準備或いは無線リンク再配置要求を発してトリガーした無線リンク再配置失敗メッセージのなかのいずれか一つ或いは組合である。
【００２４】
なお、本発明は他に幾つかの実施例がある。本発明の要旨を逸脱しない範囲で、本分野の当業者ならば本発明に基づき相応な変更と変形が色々できるが、その相応な変更と変形は本発明における請求の範囲に属すべきである。
【産業上の利用可能性】
【００２５】
本発明に係る方法では、ドリフト無線ネットワークコントローラが、それに配属されているセルがＥ−ＤＣＨ  ２ｍｓの伝送時間間隔をサポートしない情報をサービス無線ネットワークコントローラに報告することにより、サービス無線ネットワークコントローラは、この情報を取得し、ユーザデバイスに対してＥ−ＤＣＨ  ２ｍｓの伝送時間間隔のアプリケーションを終了させること、或いは、Ｅ−ＤＣＨ  ２ｍｓの伝送時間間隔をサポートしないセルのリンクを削除することを決定することに参加し、ユーザデバイスの正常な通信を確保する。